(57)【要約】【課題】分岐工事の作業にかかる手間を抑制する分岐装置を提供すること。【解決手段】流体管の流路を流れる流体を不断流状態で分岐させる分岐装置は、流路を流れる流体を分岐させる分岐開口部３と、流体管の非分岐状態において分岐開口部３を内方から閉塞している閉塞位置に保持されている栓体９と、栓体９を、閉塞位置、及び栓体９が分岐開口部３を内方から閉塞しない退避位置の間で往復移動可能な移動操作部と、を備えることで、流体管の非分岐状態において分岐開口部３からの流体の流れを閉止するために分岐開口部３に外方から取付ける封止手段を特段に設けることなく栓体９で代用できるばかりか、従来のように、別段の制水弁を流体管に取付ける作業や制水弁の開閉作業を行うことなく、不断流状態で流体を分岐させることができる。【選択図】図８
2011007252.tif 000002
【特許請求の範囲】
【請求項１】
流体管の流路を流れる流体を不断流状態で分岐させる分岐装置であって、
前記流路を流れる流体を分岐させる分岐開口部と、
前記流体管の非分岐状態において前記分岐開口部を内方から閉塞している閉塞位置に保持されている栓体と、
前記栓体を、前記閉塞位置、及び該栓体が前記分岐開口部を内方から閉塞しない退避位置の間で往復移動可能な移動操作部と、を備えることを特徴とする分岐装置。
【請求項２】
前記栓体は、前記移動操作部の略直線運動により、前記閉塞位置及び前記退避位置の間で移動することを特徴とする請求項１に記載の分岐装置。
【請求項３】
前記閉塞位置に位置している栓体には、該栓体を前記閉塞位置に保持する保持部材が前記流路の外部から着脱可能に取付けられることを特徴とする請求項１または２に記載の分岐装置。
【請求項４】
前記移動操作部は、前記流路の外部と通じる操作開口部を介して前記流路の外部から操作され、前記栓体と着脱可能に取付けられることを特徴とする請求項１ないし３のいずれかに記載の分岐装置。
【請求項５】
前記移動操作部は、回動操作される回動軸部を有しており、
前記回動軸部の回動操作により、前記移動操作部と前記栓体とが着脱可能に切替えられることを特徴とする請求項４に記載の分岐装置。
【請求項６】
前記流体管には、前記分岐開口部、前記操作開口部、及び前記栓体が設けられる分岐ユニットが備えられることを特徴とする請求項４または５に記載の分岐装置。
【請求項７】
流体管の流路を流れる流体を不断流状態で分岐させる分岐方法であって、
栓体が前記流路を流れる流体を分岐させる分岐開口部を内方から閉塞している閉塞位置に位置している栓体閉塞段階と、
前記栓体閉塞段階の後に、前記分岐開口部に前記流路を流れる流体を分岐させるための分岐路部材を取付け、その後、前記栓体を、移動操作部により移動させ、前記栓体が前記分岐開口部を内方から閉塞しない退避位置に位置している栓体退避段階と、から成ることを特徴とする分岐方法。
【発明の詳細な説明】
【技術分野】
【０００１】
本発明は、流体管の流路を流れる流体を不断流状態で分岐させる分岐装置及び分岐方法に関する。
【背景技術】
【０００２】
従来の分岐装置は、主に、栓体により閉鎖される流体管の分岐開口部に着脱自在であって端部に蓋体を有する制水弁と、蓋体に挿通された移動操作部と、から構成されている（例えば、特許文献１参照）。
【０００３】
分岐工事の際、先ず、分岐開口部に制水弁を取付け、制水弁を開状態で移動操作部を栓体と係合させる。そして、移動操作部と係合している栓体を蓋体側に移動した後に、制水弁を閉状態にする。次いで、制水弁から蓋体を取外して制水弁に分岐路部材を連結し、制水弁を開状態にすることで、流体管の流路を流れる流体が不断流状態で分岐される。
【先行技術文献】
【特許文献】
【０００４】
【特許文献１】特開平５−３３２４８９号公報（第４頁、第３図）
【発明の概要】
【発明が解決しようとする課題】
【０００５】
このように、特許文献１に記載の分岐装置にあっては、分岐工事の際に、制水弁を流体管に取付ける作業や制水弁の開閉作業を行う必要があるため、分岐工事の作業に手間がかかってしまう虞がある。
【０００６】
本発明は、このような問題点に着目してなされたもので、分岐工事の作業にかかる手間を抑制する分岐装置及び分岐方法を提供することを目的とする。
【課題を解決するための手段】
【０００７】
前記課題を解決するために、本発明の分岐装置は、
流体管の流路を流れる流体を不断流状態で分岐させる分岐装置であって、
前記流路を流れる流体を分岐させる分岐開口部と、
前記流体管の非分岐状態において前記分岐開口部を内方から閉塞している閉塞位置に保持されている栓体と、
前記栓体を、前記閉塞位置、及び該栓体が前記分岐開口部を内方から閉塞しない退避位置の間で往復移動可能な移動操作部と、を備えることを特徴としている。
この特徴によれば、栓体は、移動操作部により、栓体が分岐開口部を内方から閉塞している閉塞位置、及び栓体が分岐開口部を内方から閉塞しない退避位置の間で往復移動可能になっていることで、流体管の非分岐状態において分岐開口部からの流体の流れを閉止するために分岐開口部に外方から取付ける封止手段を特段に設けることなく栓体で代用できるばかりか、分岐開口部に流路から流体を分岐させるための部材を取付けた後に、栓体を閉塞位置から退避位置に移動することで、従来のように、別段の制水弁を流体管に取付ける作業や制水弁の開閉作業を行うことなく、不断流状態で流体を分岐させることができ、更に、栓体を退避位置から閉塞位置に移動することで、流体を流体管の流路のみに流す状態に戻すこともできる。
【０００８】
本発明の分岐装置は、
前記栓体は、前記移動操作部の略直線運動により、前記閉塞位置及び前記退避位置の間で移動することを特徴としている。
この特徴によれば、移動操作部を略直線運動させるだけで、栓体を閉塞位置及び退避位置の間で容易に移動させることができる。
【０００９】
本発明の分岐装置は、
前記閉塞位置に位置している栓体には、該栓体を前記閉塞位置に保持する保持部材が前記流路の外部から着脱可能に取付けられることを特徴としている。
この特徴によれば、閉塞位置に位置している栓体に、栓体を閉塞位置に保持する保持部材が流路の外部から着脱可能に取付けられることで、流体管の非分岐状態において栓体により分岐開口部が内方から閉塞されている状態を確実に保持することができる。
【００１０】
本発明の分岐装置は、
前記移動操作部は、前記流路の外部と通じる操作開口部を介して前記流路の外部から操作され、前記栓体と着脱可能に取付けられることを特徴としている。
この特徴によれば、移動操作部が栓体と着脱可能に取付けられることで、流体を不断流状態で分岐させるときのみに移動操作部を栓体に取付けて操作開口部を介して流路の外部から操作することができる。
【００１１】
本発明の分岐装置は、
前記移動操作部は、回動操作される回動軸部を有しており、
前記回動軸部の回動操作により、前記移動操作部と前記栓体とが着脱可能に切替えられることを特徴としている。
この特徴によれば、回動軸部の回動操作を行うだけで、移動操作部と栓体との取付けまたはその解除を容易に行うことができる。
【００１２】
本発明の分岐装置は、
前記流体管には、前記分岐開口部、前記操作開口部、及び前記栓体が設けられる分岐ユニットが備えられることを特徴としている。
この特徴によれば、流体管に、分岐開口部、操作開口部、及び栓体が設けられる分岐ユニットを装備することで、流体管の流路を流れる流体を不断流状態で分岐させる際に、分岐開口部、操作開口部、及び栓体を個別に加工して施工する必要がない。
【００１３】
前記課題を解決するために、本発明の分岐方法は、
流体管の流路を流れる流体を不断流状態で分岐させる分岐方法であって、
栓体が前記流路を流れる流体を分岐させる分岐開口部を内方から閉塞している閉塞位置に位置している栓体閉塞段階と、
前記栓体閉塞段階の後に、前記分岐開口部に前記流路を流れる流体を分岐させるための分岐路部材を取付け、その後、前記栓体を、移動操作部により移動させ、前記栓体が前記分岐開口部を内方から閉塞しない退避位置に位置している栓体退避段階と、から成ることを特徴としている。
この特徴によれば、栓体が流路を流れる流体を分岐させる分岐開口部を内方から閉塞している閉塞位置に位置している栓体閉塞段階と、栓体閉塞段階の後に、分岐開口部に流路を流れる流体を分岐させるための分岐路部材を取付け、その後、栓体を、移動操作部により移動させ、栓体が分岐開口部を内方から閉塞しない退避位置に位置している栓体退避段階と、から成ることで、流体管の非分岐状態において分岐開口部からの流体の流れを閉止するために分岐開口部に外方から取付ける封止手段を特段に設けることなく栓体で代用できるばかりか、従来のように、別段の制水弁を流体管に取付ける作業や制水弁の開閉作業を行うことなく、不断流状態で流体を分岐させることができる。
【図面の簡単な説明】
【００１４】
【図１】実施例における分岐ユニットが流体管に配設されている状態を示す正面図である。
【図２】図１のＡ−Ａ断面図である。
【図３】（ａ）は、栓体を示す正面図であり、（ｂ）は、同じく左側面図であり、（ｃ）は、同じく右側面図であり、（ｄ）は、（ｂ）のＢ−Ｂ断面図である。
【図４】取付部を示す斜視図である。
【図５】操作開口部に移動操作部が取付けられた状態を示す断面図である。
【図６】（ａ）は、移動操作部により取付部が閉塞位置に向かって移動した状態を示す断面図であり、（ｂ）は、（ａ）の状態から取付部が栓体に取付けられた状態を示す拡大断面図である。
【図７】分岐路部材が分岐開口部に取付けられた状態を示す断面図である。
【図８】移動操作部により閉塞位置に位置している栓体が退避位置に移動した状態を示す断面図である。
【図９】取付部以外の移動操作部を構成する部材が操作開口部から取外された状態を示す断面図である。
【発明を実施するための形態】
【００１５】
本発明に係る分岐装置を実施するための形態を実施例に基づいて以下に説明する。
【実施例】
【００１６】
実施例に係る分岐装置につき、図１から図９を参照して説明する。以下、図１の紙面手前側を分岐ユニットの正面側（前方側）として説明する。
【００１７】
本実施例は、流体管の流路を流れる流体を不断流状態で分岐させる分岐方法及びこの分岐方法を実施する分岐装置について説明する。
【００１８】
図１の符号１，１は、流路を構成する上水道用の流体管であって、流体管１，１の間には、流路を流れる流体を不断流状態で分岐させる分岐ユニット２が、流体管１，１に対して水密になるように配設されている。
【００１９】
図２に示されるように、この分岐ユニット２には、主に、流路を流れる流体を分岐させる分岐開口部３と、分岐開口部３とにより管軸Ｐを挟む箇所に形成され、流路の外部と通じる操作開口部４と、分岐開口部３を分岐開口部３の内方から閉塞可能な栓体９と、が設けられている。また、操作開口部４の近傍には、取付部１６を固定する固定ボルト６が着脱自在に取付けられるボルト孔７が形成されている。
【００２０】
分岐開口部３の内周面３ｃには、内方に膨出する膨出部３ｄが形成されており、この膨出部３ｄを、栓体９と、栓体９を保持する保持部材１８とが挟持して、保持部材１８が、そのボルト１８ａ，１８ａにより、流路の外部から栓体９に着脱可能に取付けられている。
【００２１】
図２及び図３（ａ）〜（ｄ）に示されるように、栓体９は、本体部９ａと、本体部９ａを被覆するゴム等の弾性部材から成る被覆部９ｅと、から成り、この栓体９には、保持部材１８のボルト１８ａ，１８ａと螺合可能な雌ネジ穴９ｆ，９ｆが形成されている（図３（ｃ）参照）。
【００２２】
図２に示されるように、被覆部９ｅは、分岐開口部３の膨出部３ｄと当接することで、分岐開口部３が分岐開口部３の内方から閉塞されるようになっている。また、本体部９ａが被覆部９ｅにより被覆されることで、被覆部９ｅが分岐開口部３の膨出部３ｄと密着して当接可能になっているとともに、本体部９ａの腐食を防止するようになっている。
【００２３】
図２に示されるように、本体部９ａには、操作開口部４に向かって開口する開口部９ｃが形成されており、図３（ｂ）に示されるように、この開口部９ｃは、側面視略小判形状に開口している。また、開口部９ｃの内奥面９ｄには、ゴム部材９ｇが固着されている。
【００２４】
操作開口部４における開口側には、後述の移動操作部８の取付部１６を水密に挿通可能な挿通孔４ａが形成されており、この挿通孔４ａとボルト孔７とが連通している。この挿通孔４ａは、分岐開口部３の内周面３ｃと同軸に形成されている。尚、ボルト孔７は、流路の外部と連通して形成された嵌合ネジ孔２１と連通しており、この嵌合ネジ孔２１は、キャップ２２により水密に嵌合されている。
【００２５】
次に移動操作部８について説明すると、図５に示されるように、移動操作部８は、分岐ユニット２と共に本発明の分岐装置を構成している。この移動操作部８は、主に、栓体９に着脱自在に取付けられる取付部１６と、移動操作部８を分岐ユニット２に取付けるための支持部材１３と、支持部材１３に螺合された支柱１４，１４と、取付部１６に着脱可能に取付けるために先端に雄ネジ部１１ａを有する回動軸部としての筒部材１１と、筒部材１１の開口側内部に設けられた雌ネジ部１１ｂに螺合して筒部材１１に螺挿可能なネジ部材１２と、筒部材１１に固定に取付けられる分割構造の固定部材１５と、から成る。
【００２６】
図２及び図４に示されるように、取付部１６には、この取付部１６を固定するボルト１０、または筒部材１１の雄ネジ部１１ａが着脱自在に取付けられるためのボルト穴１６ｄが形成されている。
【００２７】
更に、取付部１６の先端には、短径部２５ａと、短径部２５ａよりも長径の長径部２５ｂとから成る、前記した栓体９の開口部９ｃに対応する略小判形状の係合部２５が形成されている。また、取付部１６における係合部２５の近傍位置には、係合部２５の長径部２５ｂの対向位置に配置された短径部２６ａと、係合部２５の短径部２５ａの対向位置に配置された、短径部２６ａよりも長径の長径部２６ｂとから成る略小判形状の固着部２６が形成されている。
【００２８】
固定部材１５には、支柱１４，１４が挿通される挿通孔１５ａ，１５ａが形成されており、支柱１４，１４が挿通孔１５ａ，１５ａを挿通することで、固定部材１５は、ネジ部材１２に対してその軸方向に移動可能になっている。このため、図５及び図６（ａ）に示されるように、ネジ部材１２を回動することで、固定部材１５に取付けられた筒部材１１が、ネジ部材１２と共回りすることなくネジ部材１２の軸方向に略直線移動可能になっている。尚、本実施例では、移動操作部８は、ネジ部材１２を回動することで略直線移動可能な筒部材１１を有しているが、これに限らず、例えば、軸方向に押圧されることで略直線移動可能な筒部材を有する移動操作部であってもよい。
【００２９】
次に、流体管の流路を流れる流体を不断流状態で分岐させる工程について説明する。
【００３０】
先ず、図１に示されるように、流体管１，１の間には、分岐ユニット２が配設されている。前述のように、この分岐ユニット２には、分岐開口部３、操作開口部４、及び栓体９が設けられていることで、流体管の流路を流れる流体を不断流状態で分岐させる際に、分岐開口部、操作開口部、及び栓体を個別に加工して施工する必要がない。
【００３１】
栓体閉塞段階について説明すると、図２に示されるように、流体管１，１の非分岐状態において、取付部１６が挿通孔４ａに密封状に挿通された状態で取付部１６が保持されているともに、栓体９は、分岐開口部３内に配置されて、ボルト１８ａ，１８ａが栓体９の雌ネジ穴９ｆ，９ｆ（図３（ｃ）参照）に螺挿する保持部材１８により保持されている。つまり、栓体９が流路を流れる流体を分岐させる分岐開口部３を分岐開口部３の内方から閉塞している閉塞位置に位置している。すなわち、栓体９が予め閉塞位置に位置している状態が本発明の栓体閉塞段階を構成している。
【００３２】
このように、閉塞位置に位置している栓体９には、この栓体９を閉塞位置に保持する保持部材１８が流路の外部から着脱可能に取付けられることで、流体管１の非分岐状態において栓体９により分岐開口部３が分岐開口部３の内方から閉塞されている状態を確実に保持することができる。
【００３３】
また、栓体閉塞段階では、固定ボルト６が取付部１６と当接するように流路の外部からボルト孔７に螺入されている。同様に、固着部２６の長径部２６ｂが、操作開口部４の内方側に形成された端面４ｂと当接するように、ボルト１０の首下部が、ボルト１０の頭部が操作開口部４の開口端面との間に配置された水密ワッシャ２３を挿通して流路の外部から取付部１６のボルト穴１６ｄに螺入されている。これら固定ボルト６及びボルト１０の螺入により、取付部１６が確実に保持されている。
【００３４】
そして、栓体閉塞段階の後に、ボルト１０を流路の外部から操作することでボルト穴１６ｄから螺出してボルト１０及び水密ワッシャ２３を取外し、図５に示されるように、支持部材１３を分岐ユニット２に取付けるとともに、筒部材１１の雄ネジ部１１ａをボルト穴１６ｄに螺入して、移動操作部８を操作開口部４に取付ける。
【００３５】
この筒部材１１を取付部１６に取付ける際には、固定ボルト６がボルト孔７に螺入されている状態であるため、取付部１６が筒部材１１と共回りすることなく筒部材１１を取付部１６に取付けることができる。
【００３６】
次いで、流路の外部から操作して固定ボルト６を緩めて固定ボルト６と取付部１６との当接を解除し、ネジ部材１２を回動する。この回動により、ネジ部材１２の軸方向に略直線移動可能な筒部材１１は、挿通孔４ａを挿通するとともに、ボルト穴１６ｄが筒部材１１の雄ネジ部１１ａに螺合している取付部１６は、回転することなく分岐開口部３へ向かって略直線方向に移動する。
【００３７】
そして、更に、取付部１６が移動することで、図６（ａ）に示されるように、係合部２５が閉塞位置に位置している栓体９の開口部９ｃ内部に挿入される。より詳しくは、係合部２５は、係合部２５の略小判形状に対応して略小判形状に開口した開口部９ｃに合致するように、開口部９ｃ内部に挿入される。この挿入により、係合部２５がゴム部材９ｇと当接するとともに、固着部２６の長径部２６ｂが開口部９ｃの開口端部９ｈと当接する。
【００３８】
次いで、分割構造の固定部材１５を筒部材１１及び支柱１４，１４から取外して、筒部材１１を図６（ａ）の状態から略９０°回動することで、図６（ｂ）に示されるように、係合部２５の長径部２５ｂが開口端部９ｈと筒部材１１の軸方向に係合し、移動操作部８が栓体９に取付けられる。このとき、栓体９が保持部材１８により保持されているため、筒部材１１を回動しても栓体９が共回りしてしまうことがない。
【００３９】
そして、再び固定部材１５を筒部材１１及び支柱１４，１４に取付け、保持部材１８を栓体９から取外して栓体９を移動可能な状態にする。次いで、図７に示されるように、分岐開口部３に流路を流れる流体を分岐させるための分岐路部材１９を取付ける。
【００４０】
その後、ネジ部材１２を逆回動することで、栓体９を、図８に示されるように、閉塞位置から分岐開口部３を分岐開口部３の内方から閉塞しない退避位置に略直線移動させることで、流路を流れる流体が分岐開口部３を介して分岐路部材１９の内部を流れ、不断流状態で流体を分岐させることができる。
【００４１】
つまり、図８の状態は、栓体閉塞段階の後に、分岐開口部３に分岐路部材１９を取付け、その後、栓体９を、移動操作部８により移動させ、栓体９が分岐開口部３を分岐開口部３の内方から閉塞しない退避位置に位置している状態であって、この栓体９が退避位置に位置している状態が本発明の栓体退避段階を構成している。
【００４２】
そして、栓体９が退避位置に位置している状態を保持するために、図９に示されるように、取付部１６以外の移動操作部８を構成する部材を操作開口部４から取外し、ボルト１０を水密ワッシャ２３に挿通して取付部１６のボルト穴１６ｄに取付ける。
【００４３】
一方、流体を流体管の流路のみに流す状態に戻す場合には、前述の工程で行った作業とは逆に作業を行う。すなわち、図８に示されるように、ボルト１０及び水密ワッシャ２３を取付部１６から取外し、筒部材１１の雄ネジ部１１ａを取付部１６のボルト穴１６ｄに螺挿し、移動操作部８を操作開口部４に取付ける。
【００４４】
次いで、図７に示されるように、移動操作部８により、栓体９を退避位置から閉塞位置に位置させることで、分岐開口部３を分岐開口部３の内方から閉塞する。そして、分岐開口部３から分岐路部材１９を取外し、栓体９に流路の外部から保持部材１８を取付ける。
【００４５】
その後、分割構造の固定部材１５を筒部材１１及び支柱１４，１４から取外して、筒部材１１を図７の状態から略９０°回動することで、係合部２５の長径部２５ｂと開口端部９ｈとの係合が解除され、移動操作部８が栓体９から取外される。
【００４６】
次いで、図５に示されるように、移動操作部８により、取付部１６を退避位置へ向かって略直線移動させた後に、固定ボルト６により取付部１６を固定し、取付部１６以外の移動操作部８を構成する部材を操作開口部４から取外す。そして、図２に示されるように、ボルト１０を水密ワッシャ２３に挿通してボルト穴１６ｄに取付ける。図９の状態からこれら一連の作業を行うことで、流体を流体管の流路のみに流す状態に戻る。
【００４７】
前述のように、ネジ部材１２の回動により筒部材１１を略直線運動させるだけで、栓体９を閉塞位置及び退避位置の間で容易に移動させることができる。
【００４８】
また、前述のように、移動操作部８は、流路の外部と通じる操作開口部４を介して流路の外部から操作され、栓体９と着脱可能に取付けられている。このため、流体を不断流状態で分岐させるときのみに移動操作部８を栓体９に取付けて操作開口部４を介して流路の外部から操作することができる。
【００４９】
更に、前述のように、筒部材１１の回動操作により、移動操作部８と栓体９とが着脱可能に切替えられる。このように、筒部材１１の回動操作を行うだけで、移動操作部８と栓体９との取付けまたはその解除を容易に行うことができる。
【００５０】
以上に説明したように、実施例の分岐装置において、栓体９が分岐開口部３を分岐開口部３の内方から閉塞している閉塞位置、及び栓体９が分岐開口部３を分岐開口部３の内方から閉塞しない退避位置の間で往復移動可能になっていることで、流体管１，１の非分岐状態において分岐開口部３からの流体の流れを閉止するために分岐開口部３に分岐開口部３の外方から取付ける封止手段を特段に設けることなく栓体９で代用できるばかりか、分岐開口部３に流路から流体を分岐させるための分岐路部材１９を取付けた後に、栓体９を閉塞位置から退避位置に移動することで、従来のように、別段の制水弁を流体管に取付ける作業や制水弁の開閉作業を行うことなく、不断流状態で流体を分岐させることができ、更に、栓体９を退避位置から閉塞位置に移動することで、流体を流体管１，１の流路のみに流す状態に戻すこともできる。
【００５１】
また、実施例の分岐方法は、栓体９が閉塞位置に位置している栓体閉塞段階と、栓体閉塞段階の後に、分岐開口部３に分岐路部材１９を取付け、その後、栓体９を、移動操作部８により移動させ、栓体９が退避位置に位置している栓体退避段階と、から成ることで、上記と同様の効果が得られる。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例では、流体管１，１は上水道用であるが、流体管１，１の内部流れる流体は必ずしも上水に限らず、例えば工業用水であってもよいし、また気体や気液混合状態の流体が流れる流体管にも適用可能である。
【００５４】
また、前記実施例では、流体管１，１の間には、分岐開口部３、操作開口部４、及び栓体９が設けられる分岐ユニット２が配置されているが、これに限らず、流体管に分岐開口部及び操作開口部が形成されるとともに、栓体が流体管の内部に設けられてもよい。
【００５５】
また、前記実施例では、移動操作部８が栓体９に取付けられ、筒部材１１を略直線移動することにより、栓体９が閉塞位置と退避位置との間で往復移動するようになっているが、これに限らず、例えば、電源駆動する駆動部からなる移動操作部が栓体と接続されており、該移動操作部を操作することで、電源駆動により生じた押圧力を栓体に与え、閉塞位置と退避位置との間を往復移動するようにしてもよい。
【符号の説明】
【００５６】
１                流体管
２                分岐ユニット
３                分岐開口部
４                操作開口部
８                移動操作部
９                栓体
１１              筒部材（回動軸部）
１８              保持部材
１９              分岐路部材
【図１】
2011007252.tif 000003
【図２】
2011007252.tif 000004
【図３】
2011007252.tif 000005
【図４】
2011007252.tif 000006
【図５】
2011007252.tif 000007
【図６】
2011007252.tif 000008
【図７】
2011007252.tif 000009
【図８】
2011007252.tif 000010
【図９】
2011007252.tif 000011